(57)【要約】【課題】  設置状況に応じた調整を簡易かつ正確に行うことができる、信号増幅器を提供すること。【解決手段】  信号を増幅するための信号増幅器１であって、信号の増幅及び又は調整を行う入力ＡＴＴ４、ＧＣ６、及び、出力ＡＴＴ９と、これら入力ＡＴＴ４、ＧＣ６、及び、出力ＡＴＴ９を調整するための調整値を決定し、この調整値に応じた調整信号を入力ＡＴＴ４、ＧＣ６、及び、出力ＡＴＴ９に出力する調整制御部２０とを備える。また、入力レベルと出力レベルの入力を受付ける接続端子２２を有し、調整制御部２０は、接続端子２２によって受付けられた入力レベルと出力レベルとに基づいて調整値を決定する。【選択図】        図１
2006352591.tif 000002
【特許請求の範囲】
【請求項１】
信号を増幅するための信号増幅器であって、
信号の増幅及び又は調整を行う増幅手段と、
前記増幅手段を調整するための調整値を決定し、この調整値に応じた調整信号を前記増幅手段に出力する調整制御手段と、
を備えたことを特徴とする信号増幅器。
【請求項２】
当該信号増幅器に対する入力レベルと出力レベルの入力を受付ける入力手段を備え、
前記調整制御手段は、前記入力手段によって受付けられた前記入力レベルと前記出力レベルとに基づいて、前記調整値を決定すること、
を特徴とする請求項１に記載の信号増幅器。
【請求項３】
前記入力手段は、前記入力レベル及び前記出力レベルと共に、当該信号増幅器の増幅対象になる信号の入力を受付け、
前記入力手段に入力された信号から、前記入力レベル及び前記出力レベルを分離する信号分離手段を設け、
前記調整制御手段は、前記信号分離手段にて分離された前記入力レベルと出力レベルとに基づいて前記増幅手段の設定を調整すること、
を特徴とする請求項２に記載の信号増幅器。
【請求項４】
前記調整制御手段は、前記入力レベルと出力レベルとに基づいて前記増幅手段の設定を調整することが可能か否かを判断し、調整が不可能である場合には、調整が不可能である旨を示す信号を当該信号増幅器の外部に出力すること、
を特徴とする請求項２又は３に記載の信号増幅器。
【請求項５】
前記調整制御手段にて決定された前記調整値を記憶する記憶手段を備え、
前記調整制御手段は、当該信号増幅器の電源起動直後に前記記憶手段における前記調整値の記憶の有無を判断し、前記調整値が記憶されている場合には、当該調整値に応じた前記調整信号を出力すること、
を特徴とする請求項１から４のいずれか一項に記載の信号増幅器。
【発明の詳細な説明】
【技術分野】
【０００１】
この発明は、テレビ信号等の各種の信号を増幅するための信号増幅器に関する。
【背景技術】
【０００２】
従来より、一般住宅等におけるテレビ信号の受像システムにおいて、アンテナにて受信されたテレビ信号を増幅する信号増幅器が広く用いられている（例えば、特許文献１参照）。特に、１台のアンテナにて受信されたテレビ信号を、マンション等の共同住宅の複数の住戸それぞれに分配する共聴システムにおいては、分配等によるテレビ信号の減衰を補うため、信号増幅器によるテレビ信号の増幅が一層重要になる。
【０００３】
このような従来の信号増幅器のブロック図を図５に示す。この図５に示すように、従来の信号増幅器１００は、入力端子１０１、ハイパスフィルタ（以下、ＨＰＦ）又はバンドパスフィルタ（以下、ＢＰＦ）１０２、入力アッテネータ（以下、入力ＡＴＴ）１０３、アンプ（以下、ＡＭＰ）１０４、ゲインコントローラ（以下、ＧＣ）１０５、ＡＭＰ１０６、１０７、出力ＡＴＴ１０８、ＡＭＰ１０９、１１０、ＨＰＦ又はＢＰＦ１１１、及び、出力端子１１２を順次接続して構成されている。なお、入力端子１０１とＨＰＦ又はＢＰＦ１０２との間には避雷器１１３、ＨＰＦ又はＢＰＦ１１１と出力端子１１２との間には避雷器１１４及びモニタ端子１１５がそれぞれ接続されている。
【０００４】
このような構成において、入力端子１０１に入力されたテレビ信号は、ＨＰＦ又はＢＰＦ１０２にて一定の帯域に制限されてノイズが除去された後、入力ＡＴＴ１０３にて所定の入力レベルに調整され、ＡＭＰ１０４、ＧＣ１０５、及び、ＡＭＰ１０６、１０７にて増幅される。このテレビ信号は、さらに出力ＡＴＴ１０８にて所定の出力レベルに調整された後、ＡＭＰ１０９、１１０による増幅を経て、ＨＰＦ又はＢＰＦ１１１にて一定の帯域に制限されてノイズが除去され、出力端子１１２を介して出力される。
【０００５】
ここで、信号増幅器を共同住宅等に設置する際、その設置環境に応じて最適な信号増幅を行うことができるように、施工者が信号増幅器を調整していた。具体的には、施工者が、入力されたテレビ信号の状況（テレビ信号のレベルや波形）をスペクトルアナライザ等のレベル測定器を用いて測定し、この状況に基づいて最適な調整方法を判断して、入力ＡＴＴ１０３、ＧＣ１０５、あるいは、出力ＡＴＴ１０８を調整していた。
【０００６】
【特許文献１】特開平７−１８４１８５号公報
【発明の開示】
【発明が解決しようとする課題】
【０００７】
しかしながら、このような従来の信号増幅器においては、その調整を施工者の経験や知識に依存していたので、施工者が信号増幅器の特定を良く理解していない場合には最適な調整を行うことができなかった。
【０００８】
例えば、テレビ信号の入力レベルが高い場合、入力ＡＴＴ１０３を１０ｄＢ程度に設定することによって初段のＡＭＰ１０４の入力レベルを落とさないと、この初段のＡＭＰ１０４でテレビ信号に歪みを生じさせてしまうことがあった。あるいは逆に、テレビ信号の入力レベルが低い場合、入力ＡＴＴ１０３を０ｄＢ程度に設定することによって初段のＡＭＰ１０４の入力レベルを上げないと、Ｃ／Ｎ（Carrier to Noise Ratio）を低下させることがあった。また、テレビ信号の波数が定格より多い場合には、出力レベルを定格より落とす必要があり、その調整量を計算する必要があった。このように、信号増幅器を最適な状態に調整するための施工者の判断は多岐に渡るため、未熟な施工者が調整した場合には、出力レベルは適正であるがテレビの写りが悪くなったりする等、適切な調整を行うことが困難であった。また、施工者によってテレビの受像状態にバラツキを生じさせる原因になっていた。さらには、調整を行うことができる施工者を教育するためには、時間やコストがかかる等の問題を生じさせていた。
【０００９】
この発明は、上述した従来技術の課題を解決するためになされたものであり、設置状況に応じた調整を簡易かつ正確に行うことができる、信号増幅器を提供することを目的とする。
【課題を解決するための手段】
【００１０】
上述した課題を解決し、目的を達成するため、請求項１に係る発明は、信号を増幅するための信号増幅器であって、信号の増幅及び又は調整を行う増幅手段と、前記増幅手段を調整するための調整値を決定し、この調整値に応じた調整信号を前記増幅手段に出力する調整制御手段とを備えたことを特徴とする。
【００１１】
また、請求項２に記載の本発明は、請求項１に記載の本発明において、当該信号増幅器に対する入力レベルと出力レベルの入力を受付ける入力手段を備え、前記調整制御手段は、前記入力手段によって受付けられた前記入力レベルと前記出力レベルとに基づいて、前記調整値を決定することを特徴とする。
【００１２】
また、請求項３に記載の本発明は、請求項２に記載の本発明において、前記入力手段は、前記入力レベル及び前記出力レベルと共に、当該信号増幅器の増幅対象になる信号の入力を受付け、前記入力手段に入力された信号から、前記入力レベル及び前記出力レベルを分離する信号分離手段を設け、前記調整制御手段は、前記信号分離手段にて分離された前記入力レベルと出力レベルとに基づいて前記増幅手段の設定を調整することを特徴とする。
【００１３】
また、請求項４に記載の本発明は、請求項２又は３に記載の本発明において、前記調整制御手段は、前記入力レベルと出力レベルとに基づいて前記増幅手段の設定を調整することが可能か否かを判断し、調整が不可能である場合には、調整が不可能である旨を示す信号を当該信号増幅器の外部に出力することを特徴とする。
【００１４】
また、請求項５に記載の本発明は、請求項１から４のいずれか一項に記載の本発明において、前記調整制御手段にて決定された前記調整値を記憶する記憶手段を備え、前記調整制御手段は、当該信号増幅器の電源起動直後に前記記憶手段における前記調整値の記憶の有無を判断し、前記調整値が記憶されている場合には、当該調整値に応じた前記調整信号を出力することを特徴とする。
【発明の効果】
【００１５】
本発明によれば、増幅手段の調整を自動的に行うことができるため、施工者の熟練度に関わらず、正確で適切な調整を効率よく行うことができる。従って、信号増幅器による信号増幅の信頼性や安定性を向上させることができる。さらには、施工者を教育するための時間やコストを低減できる。
【００１６】
また、本発明によれば、専用の入力手段を設けることなく信号増幅器に入力レベルや出力レベルを入力できるので、信号増幅器の装置構成が一層簡易になる。
【００１７】
また、本発明によれば、施工者は、調整不能である旨を把握でき、調整不能であるにも関わらず調整を続行するような無駄を回避できると共に、入力レベルや出力レベルを見直す等することができるので、調整作業の効率を一層高めることができる。
【００１８】
また、本発明によれば、記憶部に調整値が記憶されている場合には、新たに調整値を決定することなく、非調整要素の調整が行われるため、調整作業の効率を一層高めることができる。
【発明を実施するための最良の形態】
【００１９】
以下に添付図面を参照して、この発明に係る信号増幅器の各実施の形態を詳細に説明する。まず、〔I〕各実施の形態に共通の基本的概念を説明した後、〔II〕各実施の形態の具体的内容について説明し、〔III〕最後に、本発明の各実施の形態に対する変形例について説明する。ただし、これら各実施の形態によって本発明が限定されるものではない。
【００２０】
〔I〕各実施の形態に共通の基本的概念
まず、各実施の形態に共通の基本的概念について説明する。各実施の形態に係る信号増幅器は、集合住宅等において、テレビ信号を含む各種の信号を増幅するための信号増幅器に関するものであり、例えば、共聴システムにおいてアンテナにて受信されたテレビ信号を増幅する信号増幅器に関する。この信号増幅器は、従来と同様に、入力ＡＴＴ、ＧＣ、及び、出力ＡＴＴの如き各種の信号増幅用又は信号調整用の構成要素を備えて構成されている。以下の説明では、これら入力ＡＴＴ、ＧＣ、及び、出力ＡＴＴのように、当該信号増幅器の設置環境に応じて最適な信号増幅を行うことができるように、従来は施工者によって調整されていた構成要素を、非調整要素と称する。
【００２１】
ここで、各実施の形態においては、この非調整要素を自動的に調整することを特徴の一つとしている。この調整は、概略的に、施工者によって入力レベル（受信レベル）及び出力レベルに基づいて調整値が自動的に決定され、この調整値に応じた調整信号が非調整要素に与えられることによって行われる。従って、施工者が調整値を決定することが不要になり、施工者の調整スキルに関わらず均一的な調整を行うことができる。
【００２２】
さらに、各実施の形態においては、一旦決定された調整値が記憶部に記憶され、信号増幅器の電源投入直後に呼び出されて、調整に使用される。従って、一度調整値が決定された後は、設置環境が変らない限り、調整値を再度決定する必要がなくなり、調整を一層迅速に行うことが可能になる。
【００２３】
〔II〕実施の形態の具体的内容
次に、本発明に係る信号増幅器の各実施の形態の具体的内容について説明する。
【００２４】
〔実施の形態１〕
まず、本発明の実施の形態１について説明する。ここでは、信号増幅器の構成について説明した後、この信号増幅器を用いて行われる調整処理の内容について説明する。
【００２５】
（信号増幅器の構成）
図１は、本実施の形態１に係る信号増幅器の信号増幅器のブロック図である。この図１に示すように、本実施の形態１に係る信号増幅器１は、その信号増幅系統については基本的に従来と同様に構成されている。すなわち、信号増幅器１は、入力端子２、ＨＰＦ又はＢＰＦ３、入力ＡＴＴ４、ＡＭＰ５、ＧＣ６、ＡＭＰ７、８、出力ＡＴＴ９、ＡＭＰ１０、１１、ＨＰＦ又はＢＰＦ１２、及び、出力端子１３を順次接続して構成されている。また、入力端子２とＨＰＦ又はＢＰＦ３との間には避雷器１４、ＨＰＦ又はＢＰＦ１２と出力端子１３との間には避雷器１５及びモニタ端子１６がそれぞれ接続されている。
【００２６】
このような構成において、入力端子２に入力されたテレビ信号は、ＨＰＦ又はＢＰＦ３にて一定の帯域に制限されてノイズが除去された後、入力ＡＴＴ４にて所定の入力レベルに調整され、ＡＭＰ５、ＧＣ６、及び、ＡＭＰ７、８にて増幅される。このテレビ信号は、さらに出力ＡＴＴ９にて所定の出力レベルに調整された後、ＡＭＰ１０、１１による増幅を経て、ＨＰＦ又はＢＰＦ１２にて一定の帯域に制限されてノイズが除去され、出力端子１３を介して出力される。
【００２７】
ここで、入力ＡＴＴ４、ＧＣ６、及び、出力ＡＴＴ９は、信号増幅器１の設置環境に応じた調整が必要な非調整要素であり、特許請求の範囲における増幅手段に対応する。なお、入力ＡＴＴ４及び出力ＡＴＴ９には、図示しない切換部が設けられており、この切換部は、後述する調整制御部２０からの調整信号に基づいて、これら入力ＡＴＴ４及び出力ＡＴＴ９の設定を切り換える。
【００２８】
また、図１において、信号増幅器１には、調整制御部２０及び記憶部２１が設けられている。
【００２９】
このうち、調整制御部２０は、非調整要素を調整するための調整値を決定し、この調整値に応じた調整信号を非調整要素に出力するものであり、特許請求の範囲における調整制御手段に対応する。具体的には、調整制御部２０は、ＣＰＵ（Central Processing Unit）を含んで構成され、記憶部２１に記憶されたプログラムを必要に応じてロードして解釈実行することにより、非調整要素の調整を行う。この調整処理の具体的内容については後述する。
【００３０】
また、記憶部２１は、非調整要素を調整するために必要な情報を不揮発的に記憶する記憶手段である。具体的には、この記憶部２１は、調整制御部２０によって解釈実行される調整処理用のプログラムが記憶される。さらに、記憶部２１には、調整制御部２０にて決定された調整値が記憶され、この意味において記憶部２１は、特許請求の範囲における記憶手段に対応する。この記憶部２１の具体的構成は任意であるが、例えば、ＥＥＰＲＯＭ（Electronically Erasable and Programmable Read Only Memory）にて構成することができる。
【００３１】
また、信号増幅器１には、接続端子２２が設けられている。この接続端子２２は、信号増幅器１に対して設定器３０を着脱自在に接続可能とするものである。特に、接続端子２２は、信号増幅器１に対する入力レベルと出力レベルの入力を受付け、この意味において接続端子２２は、特許請求の範囲における入力手段に対応する。この接続端子２２の具体的構成は任意であるが、例えば、９ピンや２５ピンのシリアルポートやパラレルポートとして構成されている。このように構成された接続端子２２は、調整制御部２０に電気的に接続されており、この接続端子２２を介して入力された入力レベル及び出力レベルが調整制御部２０に入力される。
【００３２】
次に、信号増幅器１に接続される設定器３０について説明する。この設定器３０は、信号増幅器１に対して入力レベル及び出力レベルを入力するための入力装置であり、例えば、表示モニタ、テンキー、実行キー、及び、接続端子３１（接続端子３１以外の図示を省略する）を供えて構成されている。そして、施工者は、接続端子３１を信号増幅器１の接続端子２２に着脱自在に接続し、テンキーを用いて入力レベル又は出力レベルを数値入力する。この際、施工者は、信号増幅器１が設置される環境における入力レベルを、スペクトルアナライザ等のレベル測定器で測定し、これを入力レベルとして入力する。また、施工者は、出力レベルとしては、信号増幅器１から出力させたい所要の出力レベルを入力する。このように入力レベル及び出力レベルが入力されると、この入力された数値が表示モニタに表示される。そして、この表示モニタの表示内容を確認しつつ、施工者が実行キーを操作すると、入力された入力レベル及び出力レベルが接続端子３１、２２を介して信号増幅器１に入力される。
【００３３】
（調整処理）
次に、このように構成された信号増幅器１を用いて行われる調整処理の内容について説明する。図２、３は、調整処理のフローチャートである。この図２、３に示すように、調整制御部２０は、信号増幅器１が電源投入直後であるか否かを判断する（ステップＳＡ−１）。この判断は、例えば、記憶部２１に記憶させたフラグ情報を判定することで行うことができる。
【００３４】
そして、電源投入直後である場合（ステップＳＡ−１、Ｙｅｓ）、調整制御部２０は、記憶部２１に調整値が記憶されているか否かを判断する（ステップＳＡ−２）。そして、調整値が記憶されている場合（ステップＳＡ−２、Ｙｅｓ）、調整制御部２０は、この調整値を用いて調整を行う（ステップＳＡ−３）。すなわち、調整制御部２０は、記憶部２１から取得して、この調整値が入力ＡＴＴ４、ＧＣ６、及び、出力ＡＴＴ９に設定されるように、この調整値に応じた調整信号を生成して、この調整信号を入力ＡＴＴ４、ＧＣ６、及び、出力ＡＴＴ９にそれぞれ出力する（ステップＳＡ−２）。
【００３５】
この調整信号を受けた入力ＡＴＴ４、ＧＣ６、及び、出力ＡＴＴ９は、この調整信号にて特定される調整値を自己に設定する。この場合にはこれにて調整処理が終了する。従って、記憶部２１に調整値が記憶されている場合（当該調整処理以前に行われた調整処理によって調整値が決定されていた場合）には、新たに調整値を決定することなく、非調整要素の調整が行われる。
【００３６】
一方、ステップＳＡ−１において電源投入直後でないと判断した場合（ステップＳＡ−１、Ｎｏ）、ステップＳＡ−２において記憶部に調整値が記憶されていないと判断した場合（ステップＳＡ−２、Ｎｏ）、調整制御部２０は、接続端子２２を介して入力レベル及び出力レベルの入力が受付けられたか否かを監視する（ステップＳＡ−４）。そして、調整制御部２０は、入力があった場合には（ステップＳＡ−４、Ｙｅｓ）、入力レベルをｘ、出力レベルをｙとして（ステップＳＡ−５）、これら入力レベル及び出力レベルに基づく調整が可能であるか否かを判断する。
【００３７】
具体的には、調整制御部２０は、「出力レベルｙ−入力レベルｘ」を算定し、この算定結果が最大利得以下であるか否かを判断する（ステップＳＡ−６）。この最大利得は、記憶部２１に予め記憶させておくことができ、あるいは、調整制御部２０においてプログラムパラメータとして予め保持させておくことができる（以下、調整処理における他の数値データについて同様である）。そして、減算結果が最大利得以下でない場合（最大利得を越えている場合、ステップＳＡ−６、Ｎｏ）、調整制御部２０は、信号増幅器１による増幅範囲を超えているものと判断して、接続端子２２に、調整が不可能である旨を示す信号（ＮＧ信号）を出力する（ステップＳＡ−７）。このＮＧ信号は接続端子３１を介して設定器３０に入力され、この設定器３０の表示モニタにおいて所定のＮＧ表示が行われる。従って、施工者は、調整不能である旨を把握でき、調整不能であるにも関わらず調整を続行するような無駄を回避できると共に、入力レベルや出力レベルを見直す等することができる。
【００３８】
一方、ステップＳＡ−６において、減算結果が最大利得以下である場合（最大利得を越えていない場合、ＳＡ−６、Ｙｅｓ）、調整制御部２０は、入力ＡＴＴ４、ＧＣ６、及び、出力ＡＴＴ９の調整を行う。すなわち、入力レベルｘを所定レベルと比較することによって、この入力レベルｘが初段のＡＭＰ５が歪むレベルであるか否かを判断する（ステップＳＡ−８）。そして、歪むレベルである場合には（ステップＳＡ−８、Ｙｅｓ）、入力レベルｘを落とす必要があると判断して、入力ＡＴＴ４の調整値を所定の調整レベル（例えば１０ｄＢ）に決定し、この調整値に応じた調整信号（例えば、入力ＡＴＴ４のレベルを１０ｄＢに切り換えるための切り換え信号）を生成して入力ＡＴＴ４に出力する（ステップＳＡ−９）。また、歪むレベルでない場合には（ステップＳＡ−８、Ｎｏ）、入力レベルｘを落とす必要がないと判断して、入力ＡＴＴ４の調整値を所定の調整レベル（例えば０ｄＢ）に決定し、この調整値に応じた調整信号を生成して入力ＡＴＴ４に出力する（ステップＳＡ−１０）。これによって入力ＡＴＴ４が自動的に調整される。
【００３９】
さらに、調整制御部２０は、出力ＡＴＴ９をＯＮする必要があるか否かを判断する。具体的には、調整制御部２０は、「入力レベルｘ＋信号増幅器１の所定の最大利得−出力レベル−ステップＳＡ−９、ＳＡ−１０において決定した入力ＡＴＴ４の調整値」を算定し、この算定結果がＧＣ６の所定の可変範囲を上回っているか否かを判定する（ステップＳＡ−１１）。そして、可変範囲を上回っている場合には（ステップＳＡ−１１、Ｙｅｓ）、出力ＡＴＴ９にて出力調整を行う必要があると判断して、出力ＡＴＴ９の調整値を所定の調整レベル（例えば１０ｄＢ）に決定し、この調整値に応じた調整信号（例えば、出力ＡＴＴ９のレベルを１０ｄＢに切り換えるための切り換え信号）を生成して出力ＡＴＴ９に出力する（ステップＳＡ−１２）。また、可変範囲を上回っていない場合には（ステップＳＡ−１１、Ｎｏ）、出力ＡＴＴ９にて出力調整を行う必要がないと判断して、出力ＡＴＴ９の調整値を所定の調整レベル（例えば０ｄＢ）に決定し、この調整値に応じた調整信号を生成して出力ＡＴＴ９に出力する（ステップＳＡ−１３）。これによって出力ＡＴＴ９が自動的に調整される。
【００４０】
さらに、調整制御部２０は、信号増幅器１の出力レベルが、先に入力された出力レベルｙになるように、ＧＣ６を調整する。具体的には、調整制御部２０は、「入力レベルｘ＋信号増幅器１の所定の最大利得−出力レベル−ステップＳＡ−９、ＳＡ−１０において決定した入力入力ＡＴＴ４の調整値−ステップＳＡ−１２、ＳＡ−１３において決定した出力ＡＴＴ９の調整値」を算定し、この算定結果をＧＣ６の調整値として決定する（ステップＳＡ−１４）。そして、この調整値に応じた調整信号（例えば、調整値に応じた電圧を有する電圧信号）を生成してＧＣ６に出力する。これによってＧＣ６が自動的に調整される。
【００４１】
次いで、調整制御部２０は、これまでの処理において決定した入力ＡＴＴ４、出力ＡＴＴ９、及び、ＧＣ６の調整値を、記憶部２１に記憶させる（ステップＳＡ−１５）。従って、次回の電源投入直後には、この調整値を用いて、非調整要素の調整を行うことができる。
【００４２】
その後、調整制御部２０は、調整が完了した旨を示す信号（ＯＫ信号）を接続端子２２に出力する（ステップＳＡ−１６）。このＯＫ信号は接続端子３１を介して設定器３０に入力され、この設定器３０の表示モニタにおいて所定のＯＫ表示が行われる。従って、施工者は、調整が完了した旨を把握でき、速やかに調整作業を終了することができる。これにて調整処理が終了する。
【００４３】
（実施の形態１の効果）
このように本実施の形態１によれば、入力ＡＴＴ４、ＧＣ６、及び、出力ＡＴＴ９の調整を自動的に行うことができるため、施工者の熟練度に関わらず、正確で適切な調整を効率よく行うことができる。さらに、記憶部２１に調整値が記憶されている場合には、新たに調整値を決定することなく、非調整要素の調整が行われるため、調整作業の効率を一層高めることができる。また、施工者は、調整不能である旨を把握でき、調整不能であるにも関わらず調整を続行するような無駄を回避できると共に、入力レベルや出力レベルを見直す等することができるので、調整作業の効率を一層高めることができる。さらに、施工者は、調整が完了した旨を把握でき、速やかに調整作業を終了することができる。
【００４４】
〔実施の形態２〕
次に、本発明の実施の形態２について説明する。実施の形態２は、信号増幅器と設定器との接続を専用の接続端子を用いることなく実行可能としたものである。図４は、本実施の形態２に係る信号増幅器の信号増幅器のブロック図である。この図４に示すように、本実施の形態２に係る信号増幅器４０は、概略的に、入力端子２、ＨＰＦ又はＢＰＦ３、入力ＡＴＴ４、ＡＭＰ５、ＧＣ６、ＡＭＰ７、８、出力ＡＴＴ９、ＡＭＰ１０、１１、ＨＰＦ又はＢＰＦ１２、出力端子１３、避雷器１４、避雷器１５、モニタ端子１６、調整制御部２０、記憶部２１、ローパスフィルタ（以下、ＬＰＦ）２３、及び、インターフェース（以下、Ｉ／Ｆ）２４が設けられている。また、実施の形体１の接続端子２２、３１は省略されている。なお、実施の形態１と略同様の構成要素については、必要に応じて、実施の形態１で用いたのと同一の符号を付してその説明を省略する。
【００４５】
このうち、入力端子２は、増幅対象になる信号の入力を受付けるだけでなく、必要に応じて、設定器３０から入力レベル及び出力レベルを受付けるもので、特許請求の範囲における入力手段に対応する。この入力端子２は、例えば、テレビ信号を送信するための同軸ケーブルを接続する同軸端子として構成されている。
【００４６】
また、ＬＰＦ２３は、入力端子２に入力された信号から、入力レベル及び出力レベルを分離するもので、特許請求の範囲における信号分離手段に対応する。このＬＰＦ２３は、入力端子２とＨＰＦ又はＢＰＦ３との間から分岐接続されており、入力端子２に入力された信号から入力レベル及び出力レベルを分離する。また、Ｉ／Ｆ２４は、ＬＰＦ２３から出力された信号を、調整制御部２０への入力信号に変換するための信号インターフェースである。
【００４７】
このような構成において、施工者が設定器３０を同軸ケーブルを介して入力端子２に接続し、入力レベル及び出力レベルを設定すると、これら入力レベル及び出力レベルが低周波数帯域で入力端子２を介して信号増幅器４０に入力される。そして、これら入力レベル及び出力レベルは、低周波数帯域であるため、ＨＰＦ又はＢＰＦ３では不通過になる一方で、ＬＰＦ２３を通過することで分離される。このように分離された入力レベル及び出力レベルは、Ｉ／Ｆ２４にて変換され調整制御部２０にて入力される。そして、これら入力レベル及び出力レベルを用いて、実施の形態１と同様の調整処理が行われることで、入力ＡＴＴ４、ＧＣ６、及び、出力ＡＴＴ９が調整される。
【００４８】
（実施の形態２の効果）
このように本実施の形態２によれば、実施の形態１の基本的効果と略同様の効果を奏し、かつ、専用の接続端子を設けることなく信号増幅器４０と設定器３０とを接続できるので、信号増幅器４０や設定器３０の装置構成が一層簡易になる。
【００４９】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５０】
（解決しようとする課題や発明の効果について）
また、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、全ての設置環境において信号増幅器を完全に最適な状態に調整できない場合においても、少なくとも１つの設置環境において調整が可能である限りにおいて、本発明の課題が達成されている。
【００５１】
（調整の対象及び方法について）
入力ＡＴＴ４、ＧＣ６、又は、出力ＡＴＴ９の一部のみを非調整要素としてもよく、あるいは、他の構成要素を非調整要素に含めてもよい。また、調整の具体的方法は、上述の方法に限定されず、その他の公知の調整方法をロジック化して調整制御部２０にて自動的に実行させてもよい。また、上記実施の形態においては、設定器３０を信号増幅器１の入力端子２に接続しているが、これに限らず、出力端子１３やモニタ端子１６に接続して通信を行うようにしても良い。
【産業上の利用可能性】
【００５２】
この発明は、信号増幅器を設置状況に応じて調整する際に有用であり、特に、この調整を簡易かつ正確に行うことに適している。
【図面の簡単な説明】
【００５３】
【図１】本発明の実施の形態１に係る信号増幅器の信号増幅器のブロック図である。
【図２】実施の形態１に係る調整処理のフローチャートである。
【図３】図２に続く、調整処理のフローチャートである。
【図４】実施の形態２に係る信号増幅器の信号増幅器のブロック図である。
【図５】従来の信号増幅器のブロック図である。
【符号の説明】
【００５４】
１、４０、１００  信号増幅器
２、１０１  入力端子
３、１２、１０２  ＨＰＦ又はＢＰＦ
４、１０３  入力ＡＴＴ
５、７、８、１０、１１、１０４、１０６、１０７、１０９、１１０  ＡＭＰ
６、１０５  ＧＣ
９、１０８  出力ＡＴＴ
１３、１１２  出力端子
１４、１５、１１３、１１４  避雷器
１６、１１５  モニタ端子
２０  調整制御部
２１  記憶部
２２、３１  接続端子
２３  ＬＰＦ
２４  Ｉ／Ｆ
３０  設定器
【図１】
2006352591.tif 000003
【図２】
2006352591.tif 000004
【図３】
2006352591.tif 000005
【図４】
2006352591.tif 000006
【図５】
2006352591.tif 000007